(57)【要約】【課題】ユーザの希望する商品についてオンデマンドで資料を作成することができるオンデマンド資料作成システムを提供する。【解決手段】オンデマンド資料作成システム１１は、商品を識別する商品コードを読み取る読取手段（１６）と、読取手段（１６）により読み取られた商品コードを取り込む商品コード取込手段（１２）と、商品コード取込手段（１２）により取り込まれた商品コードに対応する商品情報を商品情報記憶部１８から検索する商品情報検索手段（１３）と、商品情報検索手段（１３）により検索された商品情報に基づいてオンデマンド資料の印刷データを作成する資料作成手段（１２）と、印刷データに基づいてオンデマンド資料を印刷する印刷手段（１５）と、を備える。【選択図】      図１
2006172187.tif 000002
【特許請求の範囲】
【請求項１】
ユーザの希望する商品についてオンデマンド資料を作成するオンデマンド資料作成システムであって、
前記商品を識別する商品コードを読み取る読取手段と、
前記読取手段により読み取られた前記商品コードを取り込む商品コード取込手段と、
前記商品コード取込手段により取り込まれた前記商品コードに対応する商品情報を商品情報記憶部から検索する商品情報検索手段と、
前記商品情報検索手段により検索された前記商品情報に基づいて前記オンデマンド資料の印刷データを作成する資料作成手段と、
前記印刷データに基づいて前記オンデマンド資料を印刷する印刷手段と、
を備えることを特徴とするオンデマンド資料作成システム。
【請求項２】
前記読取手段は、一次元コード、若しくは二次元コードをスキャンして読み取る機器、又は半導体チップに記録されたＩＤを無線電波により読み出す機器である、
請求項１記載のオンデマンド資料作成システム。
【請求項３】
前記読取手段により読み取られた前記商品コードを、前記読取手段を識別する機器コード、及び前記ユーザを識別するユーザコードと相互に関連付け、読取情報として登録する読取情報登録手段を備える、
請求項１又は２記載のオンデマンド資料作成システム。
【請求項４】
前記読取手段により読み取られた前記商品コードに対応する商品についての予約を前記ユーザから受け付け、該予約された商品の予約カードを前記印刷手段を通じて発行するためのリザーブ処理手段を備える、
請求項１乃至３のいずれか一項記載のオンデマンド資料作成システム。
【請求項５】
前記資料作成手段は、前記ユーザの希望する商品について前記商品情報をまとめた商品カタログの印刷データを作成する手段である、
請求項１乃至４のいずれか一項記載のオンデマンド資料作成システム。
【請求項６】
前記資料作成手段は、前記ユーザの希望する商品について見積価格を算出した見積書の印刷データを作成する手段である、
請求項１乃至５のいずれか一項記載のオンデマンド資料作成システム。
【請求項７】
前記資料作成手段は、前記ユーザの希望する商品について商品画像を組み合わせてなるシミュレーション図の印刷データを作成する手段である、
請求項１乃至６のいずれか一項記載のオンデマンド資料作成システム。
【請求項８】
ユーザの希望する商品についてオンデマンド資料を作成するオンデマンド資料作成方法であって、
前記商品を識別する商品コードを読取手段により読み取る段階と、
前記読取手段により読み取られた前記商品コードを商品コード取込手段により取り込む段階と、
前記商品コード取込手段により取り込まれた前記商品コードに対応する商品情報を商品情報検索手段により検索する段階と、
前記商品情報検索手段により検索された前記商品情報に基づいて前記オンデマンド資料の印刷データを資料作成手段により作成する段階と、
前記印刷データに基づいて前記オンデマンド資料を印刷手段により印刷する段階と、
を備えることを特徴とするオンデマンド資料作成方法。
【請求項９】
コンピュータにより実行され、ユーザの希望する商品について読取手段により読み取られた商品コードを基にオンデマンド資料を作成するための資料作成プログラムであって、
前記コンピュータが、
前記読取手段から前記商品コードを取り込む処理と、
前記商品コードに対応する商品情報を検索する処理と、
前記商品情報に基づいて前記オンデマンド資料の印刷データを作成する処理と、
前記印刷データに基づいて前記オンデマンド資料を印刷する処理と、
を実行するための資料作成プログラム。
【請求項１０】
コンピュータにより実行され、ユーザの希望する商品について読取手段により読み取られた商品コードを基にオンデマンド資料を作成するための資料作成プログラムを記憶した記憶媒体であって、
前記コンピュータが、
前記読取手段から前記商品コードを取り込む処理と、
前記商品コードに対応する商品情報を検索する処理と、
前記商品情報に基づいて前記オンデマンド資料の印刷データを作成する処理と、
前記印刷データに基づいて前記オンデマンド資料を印刷する処理と、
を実行するための前記資料作成プログラムを記憶した記憶媒体。
【発明の詳細な説明】
【技術分野】
【０００１】
この発明は、ユーザの希望する商品についてオンデマンド資料を作成するオンデマンド資料作成システム及び方法、ならびに資料作成プログラム及びそれを記憶した記憶媒体に関するものである。
【背景技術】
【０００２】
近年は、様々な顧客ニーズに応えるべく各分野において商品の多様化・多品種化が進んでおり、各店舗においては、商品を紹介するための多数の商品カタログを例えば店内の入り口や各商品コーナーに設置してそれらをユーザに自由に提供する形態をとっているのが一般的である。これにより、ユーザは、こうした商品カタログを参考にして目的の商品を探したり、それを商品購入の目安にしたりすることができる。
【発明の開示】
【発明が解決しようとする課題】
【０００３】
しかしながら、大型量販店など様々な商品を数多く取り扱う店舗では、こうした商品カタログの数が膨大となるため、ユーザがそれらの中から希望する商品カタログのみを的確に探し出すのは容易ではない。また、こうした商品カタログには、必ずしもユーザの好みとする商品のみが掲載されているわけではないので、ユーザが多数の商品について興味がある場合などには、それら商品が掲載されている商品カタログを個別に入手しなければならない。このような数多くの商品カタログは、商品購入の際の荷物となるため、ユーザにとっては却って利便性を低下させるばかりか、地球環境（省資源）の面からも好ましくはない。
【０００４】
この発明は、このような従来の実情に鑑みてなされたものであり、その目的は、ユーザの希望する商品についてのオンデマンド資料を作成することができ、それにより省資源を図ることのできるオンデマンド資料作成システム、オンデマンド資料作成方法、資料作成プログラム及び記憶媒体を提供することにある。
【課題を解決するための手段】
【０００５】
上記の目的を達成するため、この発明の第１の態様は、ユーザの希望する商品についてオンデマンド資料を作成するオンデマンド資料作成システムであって、前記商品を識別する商品コードを読み取る読取手段と、前記読取手段により読み取られた前記商品コードを取り込む商品コード取込手段と、前記商品コード取込手段により取り込まれた前記商品コードに対応する商品情報を商品情報記憶部から検索する商品情報検索手段と、前記商品情報検索手段により検索された前記商品情報に基づいて前記オンデマンド資料の印刷データを作成する資料作成手段と、前記印刷データに基づいて前記オンデマンド資料を印刷する印刷手段と、を備えることをその要旨とする。
【０００６】
この構成によれば、読取手段により読み取られた商品コードを基に商品情報記憶部から検索された商品情報に基づいて、ユーザの希望する商品のみを集めたオンデマンド資料を作成することができる。これにより、ユーザの利便性を向上させるとともに、省資源化を図ることができる。
【０００７】
上記のシステムにおいては、前記読取手段は、一次元コード、若しくは二次元コードをスキャンして読み取る機器、又は半導体チップに記録されたＩＤを無線電波にて読み出す機器である、といった構成を採用することもできる。
【０００８】
この構成によれば、商品に付された一次元コード、若しくは二次元コード、又は半導体チップに記録されたＩＤを読取手段により読み取る、といった方法によって商品コードを読み取ることができる。
【０００９】
上記のシステムにおいては、前記読取手段により読み取られた前記商品コードを、前記読取手段を識別する機器コード及び前記ユーザを識別するユーザコードと相互に関連付け、それらを読取情報として登録する読取情報登録手段を備える、といった構成を採用することもできる。
【００１０】
この構成によれば、ユーザが読取手段を用いて読み取った商品コードが機器コード及びユーザコードと相互に関連付けられ読取情報として登録されることにより、この読取情報を各ユーザがどんな商品に関心があるのかといった調査・分析に活用することが可能となる。これにより、各店舗での販売促進を図ることができる。
【００１１】
上記のシステムにおいては、前記読取手段により読み取られた前記商品コードに対応する商品についての予約を前記ユーザから受け付け、該予約された商品の予約カードを前記印刷手段を通じて発行するためのリザーブ処理手段を備える、といった構成を採用することもできる。
【００１２】
この構成によれば、ユーザは読取手段を用いて読み取った商品コードの商品について、その商品を予約することができる。これにより、ユーザに対するさらなるサービス向上を図ることができる。
【００１３】
上記のシステムにおいては、前記資料作成手段は、前記ユーザの希望する商品について前記商品情報をまとめた商品カタログの印刷データを作成する手段である、といった構成を採用することもできる。
【００１４】
この構成によれば、ユーザの希望する商品のみを集めた当該ユーザ専用の商品カタログをオンデマンドで作成することができるため、ユーザの利便性を向上させるとともに、省資源化を図ることができる。
【００１５】
上記のシステムにおいては、前記資料作成手段は、前記ユーザの希望する商品について見積価格を算出した見積書の印刷データを作成する手段である、といった構成を採用することもできる。
【００１６】
この構成によれば、ユーザの希望する商品のみを集めてその見積価格を算出した見積書を作成することができるため、ユーザへのサービス向上を図ることができる。
上記のシステムにおいては、前記資料作成手段は、前記ユーザの希望する商品について商品画像を組み合わせてなるシミュレーション図の印刷データを作成する手段である、といった構成を採用することもできる。
【００１７】
この構成によれば、ユーザの希望する商品の商品画像のみを組み合わせたシミュレーション図を作成することができるため、ユーザの利便性をより追求したサービスを提供することが可能となる。
【００１８】
この発明の第２の態様は、ユーザの希望する商品についてオンデマンド資料を作成するオンデマンド資料作成方法であって、前記商品を識別する商品コードを読取手段により読み取る段階と、前記読取手段により読み取られた前記商品コードを商品コード取込手段により取り込む段階と、前記商品コード取込手段により取り込まれた前記商品コードに対応する商品情報を商品情報検索手段により検索する段階と、前記商品情報検索手段により検索された前記商品情報に基づいて前記オンデマンド資料の印刷データを資料作成手段により作成する段階と、前記印刷データに基づいて前記オンデマンド資料を印刷手段により印刷する段階と、を備えることを要旨とする。
【００１９】
この方法によれば、読取手段により読み取られた商品コードを基に商品情報記憶部から検索された商品情報に基づいて、ユーザの希望する商品のみを集めたオンデマンド資料を作成することができる。これにより、ユーザの利便性を向上させるとともに、省資源化を図ることができる。
【００２０】
この発明の第３の態様は、コンピュータにより実行され、ユーザの希望する商品について読取手段により読み取られた商品コードを基にオンデマンド資料を作成するための資料作成プログラムであって、前記コンピュータが、前記読取手段から前記商品コードを取り込む処理と、前記商品コードに対応する商品情報を検索する処理と、前記商品情報に基づいて前記オンデマンド資料の印刷データを作成する処理と、前記印刷データに基づいて前記オンデマンド資料を印刷する処理と、を実行するための資料作成プログラムであることを要旨とする。
【００２１】
このプログラムによれば、読取手段によって読み取られた商品コードを基に検索された商品情報に基づいて、ユーザの希望する商品のみを集めたオンデマンド資料を作成することができる。これにより、ユーザの利便性を向上させるとともに、省資源化を図ることができる。
【００２２】
この発明の第４の態様は、コンピュータにより実行され、ユーザの希望する商品について読取手段により読み取られた商品コードを基にオンデマンド資料を作成するための資料作成プログラムを記憶した記憶媒体であって、前記コンピュータが、前記読取手段から前記商品コードを取り込む処理と、前記商品コードに対応する商品情報を検索する処理と、前記商品情報に基づいて前記オンデマンド資料の印刷データを作成する処理と、前記印刷データに基づいて前記オンデマンド資料を印刷する処理と、を実行するための資料作成プログラムを記憶した記憶媒体であることを要旨とする。
【００２３】
この記憶媒体によって提供されるプログラムによれば、読取手段によって読み取られた商品コードを基に検索された商品情報に基づいて、ユーザの希望する商品のみを集めたオンデマンド資料を作成することができる。これにより、ユーザの利便性を向上させるとともに、省資源化を図ることができる。
【発明を実施するための最良の形態】
【００２４】
以下、この発明を、例えば商品を販売する店舗として家具／インテリアを販売する店舗に適用したオンデマンド資料作成システムの一実施の形態を図面に従って説明する。
図１は、本実施の形態に係るオンデマンド資料作成システム（以下「資料作成システム」と称す）を示す概略構成図である。この資料作成システム１１は、コンピュータのデータベースを用いて、後述する商品情報の管理やユーザ（店舗に訪れたお客）の目的に応じた資料（オンデマンド資料）の作成等を行うものであり、本実施の形態においてはクライアント／サーバ方式のリレーショナル型データモデルを基にシステム構築されている。
【００２５】
資料作成システム１１は、店舗に設置されるクライアント・コンピュータとしての店舗端末１２と、サーバ・コンピュータとしての管理コンピュータ１３とを備えており、これら店舗端末１２と管理コンピュータ１３とはネットワーク１４（例えばインターネット等）を介して相互に接続されている。
【００２６】
管理コンピュータ１３は、ＷｅｂサーバやＦＴＰサーバ等のサーバ機能を統合的に有して構成されており、該管理コンピュータ１３と店舗端末１２との間のデータの授受は所定の通信プロトコル（例えばＴＣＰ／ＩＰ）に従って行われる。なお、本実施の形態においては、サーバ機能を１つの装置に統合した態様としているが、サーバ機能の分散／統合の態様としてはこれに限られず、該サーバ機能の全部又は一部を負荷等に応じて機能的又は物理的に分散／統合することによって、その他任意の単位で構成することができる。又、図１においては、店舗端末１２を１台のみ例示しているが、複数台の店舗端末１２がネットワーク１４に接続される態様でもよい。
【００２７】
店舗端末１２は例えばパーソナルコンピュータにてなり、この店舗端末１２には、印刷手段としてのプリンタ１５が接続されている。このプリンタ１５は、本実施の形態においては例えばカラーインクジェット式プリンタにより構成され、店舗端末１２にて作成された印刷データに基づいて、後述するユーザの希望する商品についてのオンデマンド資料を印刷（カラー印刷）する。
【００２８】
この店舗端末１２には、さらに、商品識別のための商品コードを読み取る読取機器１６（読取手段）が接続される。この読取機器１６は、本実施の形態においては、例えば商品札に記録されたバーコード情報（一次元コード）を読み取るためのバーコード読取機器（いわゆるバーコードリーダ）により構成されている。この読取機器１６により読み取られたバーコード情報は機器内部に順次蓄積され、店舗端末１２との接続時にまとめて取り込まれる。なお、図１では、読取機器１６を３つ示しているが、この読取機器１６は、本実施の形態においては店舗を訪れたユーザが各自使用して商品コードを読み取るために使用されるものであり３つに限られない。
【００２９】
管理コンピュータ１３には、それぞれデータベースとして形成される読取情報記憶部１７と、商品情報記憶部１８と、ユーザ情報記憶部１９と、書式データ記憶部２０とが接続されている。なお、本実施の形態においては、上記各記憶部１７〜２０を機能別に分散した態様としているが、図１に示す分散の態様に限定されない。
【００３０】
読取情報記憶部１７には、ユーザが読取機器１６を使用して各自読み取った商品コードが読取情報として記憶されている。この読取情報は、本実施の形態においては、商品コード、機器コード、ユーザコードによって構成されている。商品コードは、先に述べたように商品を識別するためのデータであり、所定の桁よりなる番号で構成されている。機器コードは読取機器１６を識別するためのデータであり、前記商品コードと同様所定桁の番号で構成されている。ユーザコードはユーザを識別するためのデータであり、前記商品コードや前記機器コードと同様所定桁の番号で構成されている。読取情報として記憶されるこれら商品コードと機器コードとユーザコードとは相互に関連付けられて商品情報記憶部１８に記憶されるようになっている。これにより、商品コードがどの読取機器１６によって読み取られたものであるのか、さらには、どのユーザによって読み取られたものであるのかが識別可能となる。従って、この読取情報は、ユーザが過去に読み取った商品コードを示す読取履歴情報として利用することができる。
【００３１】
商品情報記憶部１８には、店舗で販売される商品についてその商品情報が記憶されている。この商品情報は、本実施の形態においては、商品コード、商品名データ、商品価格データ、商品説明データ、商品画像データによって構成されている。なお、商品コードについては、先に述べたものであるので説明を省略する。
【００３２】
商品名データは商品の名称に関するデータであり、例えば本実施の形態においては「カーテン」、「ソファ」、「カーペット」、「デスク」、…といった商品名が文字テキストにて構成されている。なお、商品名データには、単にこうした商品名だけでなく、商品の色やサイズに関する情報も含まれるものとなっている（例えば「カーテン」の場合、色（緑）、サイズ（１００×１３５））など）。商品価格データは商品の価格を表すデータであり、例えば「８０００」、「５０００」といった数字で構成されている。商品説明データは商品の特徴を紹介するためにその商品の素材や機能などを簡易的に説明するデータであり、文字テキストにて構成されている。商品画像データは、商品を撮像したカラー写真画像を示す画像データである。なお、商品情報記憶部１８に記憶するこれらの商品情報（商品コード、商品名データ、商品価格データ、商品説明データ、商品画像データ）は適宜その内容が追加、削除、更新される。
【００３３】
ユーザ情報記憶部１９にはユーザ情報が記憶されている。このユーザ情報は、本実施の形態においては、ユーザコードと、ユーザデータとによって構成されている。なお、ユーザコードについては、先に述べたものであるので説明を省略する。ユーザデータはユーザの名前、年齢、性別、住所などといったユーザの個人情報に関するデータである。
【００３４】
書式データ記憶部２０には、オンデマンド資料を作成するための書式に関するデータ（書式データ）が記憶されている。この書式データは、各種作成する資料にそれぞれ対応したものが用意されており、本実施の形態においては例えば、商品カタログ作成用書式データと、見積書作成用書式データと、シミュレーション図作成用書式データとが記憶部２０には記憶されている。
【００３５】
なお、商品カタログ作成用書式データとは、ユーザが選択した商品（読取機器１６により読み取った商品コード）についてそのユーザ専用の商品カタログを作成するための書式データである。本実施の形態においては、この商品カタログには、商品情報記憶部１８に記憶されている商品情報に基づいて、商品名、商品価格、商品説明及び商品画像が印刷されるようになっている。
【００３６】
見積書作成用書式データとは、ユーザが選択した商品（読取機器１６により読み取った商品コード）についての見積書を作成するための書式データである。本実施の形態においては、この見積書には、商品情報記憶部１８に記憶されている商品情報に基づいて、商品名、商品価格及び該商品価格を基に算出した見積価格が印刷されるようになっている。
【００３７】
シミュレーション図作成用書式データとは、ユーザが選択した商品（読取機器１６により読み取った商品コード）についてその商品の使用時の状況を想定したシミュレーション図（例えば商品を組み合わせて使用したときのレイアウト図など）を作成するための書式データである。本実施の形態においては、このシミュレーション図には、商品情報記憶部１８に記憶されている商品情報に基づいて、ユーザにより選択された商品画像を組み合わせて加工処理等した画像が印刷されるようになっている。例えば、デスク、チェア、スタンド等の商品がユーザにより選択されている場合には、それらを実際に組み合わせて使用する際の使用イメージを示す組み合わせ画像をここで言うシミュレーション図として作成することができる。
【００３８】
図２は、店舗端末１２の概略ハードウェア構成を示すブロック図である。
店舗端末１２は、本実施の形態においてはパーソナルコンピュータにより構成されており、操作部２１、表示部２２、入出力Ｉ／Ｆ（インタフェース、以下同じ）部２３、制御部２４、通信Ｉ／Ｆ部２５を有して構成されている。
【００３９】
入出力Ｉ／Ｆ部２３は、操作部２１や表示部２２、さらには、プリンタ１５や読取機器１６との間のデータの授受を制御する。操作部２１は、例えばキーボードやマウス（図示略）等により構成され、これらはユーザによる各種情報や指示の入力に用いられる。表示部２２は、例えばＣＲＴやＬＣＤ等のモニタ（図示略）により構成され、これにはユーザが処理を行うための画面及びその処理結果を示す画面等が表示される。通信Ｉ／Ｆ部２５は、店舗端末１２と図示しないルータなどの通信装置を介したネットワーク１４との間の通信制御を行う。
【００４０】
制御部２４は、ＣＰＵ、ＲＯＭ、ＲＡＭ等にて構成され、機能概念的には、商品コード取込部３１、資料作成部３２、印刷制御部３３、リザーブ処理部３４を有して構成されている。なお、これらの各機能部（３１〜３４）による処理を実現するためのＣＰＵが実行するプログラムはＲＯＭ等に記憶されている。
【００４１】
商品コード取込部３１は、本実施の形態においては商品コード取込手段を構成するものであり、読取機器１６にて読み取られ、その機器内部に蓄積されている商品コードを取り込み、この取り込んだ商品コードを当該読取機器１６の機器コードとともに管理コンピュータ１３に送信する処理部である。具体的には、商品コード取込部３１は、読取機器１６が店舗端末１２に接続されると、まず、その接続された読取機器１６の機器コードを取得してその機器を認識する。次いで、その機器に蓄積されている商品コードを取り込むことにより、機器コードと商品コードとを管理コンピュータ１３に送信する。なお、本実施の形態においては、ユーザの操作指示に基づいて商品コードが取り込まれる態様としているが（図５参照）、読取機器１６を店舗端末１２に接続したときに機器コードとともに商品コードが取り込まれる態様でもよい。
【００４２】
資料作成部３２は、管理コンピュータ１３から資料化データを取得してユーザの希望する商品のオンデマンド資料を作成する処理部である。ここで、資料化データとはオンデマンド資料を作成するために必要なデータを言い、本実施の形態においては、先に説明した商品情報と書式データとを含むデータである。資料作成部３２は、ユーザによる資料作成要求の操作に基づいて（図７参照）、当該ユーザが読取機器１６を通じて読み取った商品コードに対応する商品情報と、当該ユーザが要求した資料に対応する書式データとを管理コンピュータ１３から資料化データとして受け取る。そして、これら受け取った商品情報と書式データとに基づいてオンデマンド資料（本例では、商品カタログ、見積書、シミュレーション図のうちのいずれか）を作成する。
【００４３】
印刷制御部３３は、資料作成部３２が作成したオンデマンド資料の作成データをプリンタ１５が扱うことのできる印刷データの形式に変換する処理部である。即ち、この印刷データに基づいてプリンタ１５により所定の印刷媒体への印刷処理が行われることで、オンデマンド資料が印刷される。なお、本実施の形態においては、資料作成部３２と印刷制御部３３とにより資料作成手段が構成されている。
【００４４】
リザーブ処理部３４は、本実施の形態においてはリザーブ処理手段を構成するものであり、商品の予約登録をユーザより受け付け（図６参照）、該予約登録された商品についての予約カードをプリンタ１５を通じて発行する処理部である。詳しくは、図６で説明するように、本実施の形態においてはリザーブ処理部３４は、管理コンピュータ１３から受け取った商品情報のうち商品名と商品価格とを商品一覧Ｐ１０として表示し、その中の商品についてユーザからの予約を受け付けるようになっている。
【００４５】
図３は、管理コンピュータ１３の概略ハードウェア構成を示すブロック図である。
管理コンピュータ１３は、通信Ｉ／Ｆ部４１と制御部４２とを有して構成されている。通信Ｉ／Ｆ部４１は、図示しないルータなどの通信装置を介した上記ネットワーク１４との間の双方向の通信制御を行う。制御部４２は、ＣＰＵ、ＲＯＭ、ＲＡＭ等より構成され、機能概念的には、読取情報処理部５１、商品情報検索部５２、資料化データ送信部５３を有して構成されている。なお、これら各機能部（５１〜５４）による処理を実現するためのＣＰＵが実行するプログラムはＲＯＭ等に記憶されている。
【００４６】
読取情報処理部５１は、本実施の形態においては読取情報登録手段を構成するものであり、店舗端末１２から受信した商品コード及び機器コードにユーザコードを関連付けて、それらを読取情報として読取情報記憶部１７に記憶（登録）する処理部である。ちなみに、本実施の形態においては、店舗を訪れたユーザに読取機器１６を貸し渡す段階で、店員がその読取機器１６を貸し渡すユーザを店舗端末１２を通じて管理コンピュータ１３内に登録しておき、予め機器コードとユーザコードとの対応付けをしておくことで、管理コンピュータ１３にて受信された商品コード及び機器コードがユーザコードに関連付けられて登録されるようになっている。このような読取情報は、どのユーザがどんな商品について関心があるのかといった調査・分析に活用することができる。
【００４７】
商品情報検索部５２は、本実施の形態においては商品情報検索手段を構成するものであり、店舗端末１２からの資料化データ送信要求に基づいて、該店舗端末１２よりあらかじめ受信している商品コード（読取情報記憶部１７に記憶されている）に対応する商品情報を商品情報記憶部１８から検索する処理部である。
【００４８】
資料化データ送信部５３は、上記店舗端末１２からの資料化データ送信要求に基づいて必要な書式データを書式データ記憶部２０から読み出し、この書式データと上記商品情報検索部５２にて検索された商品情報とを店舗端末１２に資料化データとして送信する処理部である。
【００４９】
図４は、本実施の形態における資料作成システム１１の処理を示すフローチャートである。
まずステップＳ１０において、読取機器１６は、ユーザが希望する商品の商品コードをユーザの指示に基づいて読み取る。なお、読み取られた商品コードは機器内部に順次蓄積される。次にステップＳ２０において読取機器１６が店舗端末１２に接続されると、次いでステップＳ３０において店舗端末１２は、読取機器１６から機器コードを取得し、それによりその読取機器１６を認識する。
【００５０】
次にステップＳ４０において店舗端末１２は、ユーザの指示に基づいて（図５参照）、商品コードの取り込み要求を読取機器１６に対して行い、次いでステップＳ５０において読取機器１６は、その要求に応答して機器内部に蓄積されている商品コードを店舗端末１２に送信する。次にステップＳ６０において店舗端末１２は、読取機器１６から取得した商品コードとその読取機器１６の機器コードとを管理コンピュータ１３に送信する。
【００５１】
次にステップＳ７０において管理コンピュータ１３は、店舗端末１２から受信した商品コードと機器コードとをユーザコードと関連付けてそれらを読取情報として読取情報記憶部１７に記憶する。次にステップＳ８０において店舗端末１２は、ユーザの指示に基づいて（図７参照）、該ユーザにより選択されたオンデマンド資料を作成するための資料化データの送信要求を管理コンピュータ１３に対して行う。次にステップＳ９０において管理コンピュータ１３は、この店舗端末１２からの要求に応答して、あらかじめその店舗端末１２より受信した商品コードに対応する商品情報を商品情報記憶部１８から検索し、続いて、ステップＳ１００において上記検索の結果得られた商品情報と書式データ記憶部２０に記憶されている書式データとを店舗端末１２に送信する。
【００５２】
次にステップＳ１１０において店舗端末１２は、管理コンピュータ１３から受け取った商品情報に基づいて、その商品の中での予約登録がユーザから受け付けたか否かを判断する（図６参照）。このとき、予約登録を受け付けた場合（ステップＳ１１０：ＹＥＳ）には、店舗端末１２はプリンタ１５に対して予約カードの印刷を指示し（ステップＳ１２０）、プリンタ１５はそれに応答して、その商品についての予約カードを印刷する（ステップＳ１３０）。一方、予約登録を受け付けなかった場合（ステップＳ１１０：ＮＯ）には、店舗端末１２は管理コンピュータ１３から受信した資料化データ（商品情報、書式データ）に基づいてオンデマンド資料の作成を行う（ステップＳ１４０）。
【００５３】
次にステップＳ１５０において店舗端末１２は、上記資料化データに基づいて作成したオンデマンド資料の作成データをプリンタ１５が扱うことのできる印刷データに変換してプリンタ１５に送信する。次にステップＳ１６０においてプリンタ１５は、上記店舗端末１２から受信した印刷データに基づいて所定の印刷媒体に対し印刷処理を行う。これにより、オンデマンド資料が印刷される。
【００５４】
次に、上記資料作成システム１１の処理において、店舗端末１２の表示部２２に表示される各種画面について説明する。
図５は、店舗端末１２に読取機器１６が接続されたときに表示される商品取り込み画面Ｗ１０の表示例を示す模式図である。本例においては、この商品取り込み画面Ｗ１０には、商品コード取り込みボタンＢ１０とキャンセルボタンＢ２０とが配置されており、店舗端末１２は、ユーザにより商品コード取り込みボタンＢ１０が操作部２１を通じて選択されると、読取機器１６に対して商品コードの取り込み要求を行うものとなっている。
【００５５】
図７は、資料作成画面Ｗ２０の表示例を示す模式図である。この資料作成画面Ｗ２０は、先に述べた商品取り込み画面Ｗ１０において、商品コードの取り込みがなされた後において表示される。本例においては、この資料作成画面Ｗ２０には、商品カタログ作成ボタンＢ３０と、見積書作成ボタンＢ４０と、シミュレーション図作成ボタンＢ５０と、キャンセルボタンＢ６０とが配置されている。店舗端末１２は、上記各作成ボタンＢ３０〜Ｂ５０のうちいずれかが操作部２１を通じてユーザにより選択されると、該選択された資料を作成するための資料化データを管理コンピュータ１３に要求するものとなっている。
【００５６】
図６は、リザーブ登録画面Ｗ３０の表示例を示す模式図である。このリザーブ登録画面Ｗ３０は、店舗端末１２が管理コンピュータ１３から商品情報を受け取ることにより表示される。本例においては、このリザーブ登録画面Ｗ３０には、商品予約ボタンＢ７０と、キャンセルボタンＢ８０と、商品一覧Ｐ１０とが配置されている。商品一覧Ｐ１０には、商品情報に基づいて商品名と商品価格とが表示されるとともに、ユーザが商品を予約するためのチェックボックスＣ１が商品毎に設けられている。すなわちユーザはこのチェックボックスＣ１にチェックを入れることで商品の予約登録を行うことができるようになっている。なお、ここでは、商品名と商品価格とが表示されるものとしたが、商品画像や商品説明も表示される態様としてもよい。店舗端末１２は、ユーザにより操作部２１を通じて上記チェックボックスＣ１にチェックがなされた状態で商品予約ボタンＢ７０が選択されると、その商品の予約カードを印刷するための印刷データを生成してプリンタ１５に印刷指示を行うものとなっている。
【００５７】
以上記述したように、本実施の形態によれば、以下の効果を奏する。
（１）ユーザの希望する商品の商品コードを読取機器１６により読み取り、該読取機器１６により読み取られた商品コードから商品情報を検索して、該検索した商品情報を基にユーザの目的の資料を作成するようにした。このようにすれば、店舗側があらかじめ商品についての資料（商品カタログ等）を用意せずとも、ユーザの好みに応じた資料をオンデマンドで作成することができる。これにより、ユーザの利便性を向上させることができるとともに、店舗側が多数の資料の在庫を抱えることも抑制できるため、省資源化を図ることができる。
【００５８】
（２）オンデマンド資料としてユーザの希望する商品のみを集めた商品カタログを作成可能とした。これにより店舗に膨大な数の商品カタログを用意せずともよくなり、省資源化を図るとともに、ユーザの利便性を向上させることができる。
【００５９】
（３）オンデマンド資料としてユーザの希望する商品についての見積書を作成可能とした。これによりユーザへのサービス向上を図ることができる。
（４）オンデマンド資料としてユーザの希望する商品画像を組み合わせてシミュレーション図を作成可能とした。これによりユーザの利便性をより追求したサービスを提供することが可能となる。
【００６０】
（５）ユーザの選択した商品（読取機器１６にて読み取った商品コードに対応するもの）の中から予約を受け付け、予約を受け付けた商品について予約カードを印刷するようにした。これにより、ユーザへのさらなるサービス向上を図ることができる。
【００６１】
（６）ユーザの選択した商品の商品コードと、機器コードと、ユーザコードとを相互に関連付けて読取情報として登録する構成とした。これにより、どのユーザがどんな商品に関心があるのかといった調査・分析等に読取情報を活用することが可能となる。
【００６２】
なお、上記実施の形態では、以下の態様に変更した変形例を採用してもよい。
（変形例１）読取機器１６には表示装置が付いていてもよい。これによれば、家具などの大型商品の在庫有無を店員にいちいち確認することなく、読み取った商品の在庫有無が表示装置にて即座に確認可能である。これは、具体的には、読取機器１６にて読み取った商品コードを管理コンピュータ１３に送信し、管理コンピュータ１３から該当商品コードの商品在庫情報を読取機器１６に返信し、それを同読取機器１６の表示装置に表示させるといった態様で構成することができる。
【００６３】
（変形例２）上記実施の形態で述べた資料作成システム１１は、店舗端末１２の備える機能と管理コンピュータ１３の備える機能とを１つのコンピュータに備えて実現することもできる。また、この資料作成システム１１は、１又は複数のコンピュータにオンデマンド資料作成のためのプログラム（資料作成プログラム）をインストールすることによって実現することもできる。なお、上記実施の形態及び本変形例２における資料作成プログラムは、フレキシブルディスクやＣＤ−ＲＯＭ等の可搬型媒体やネットワーク接続された他の計算機の主記憶装置や補助記憶装置等に格納されて提供される。提供されたプログラムは、可搬型媒体から直接計算機の主記憶装置にロードされ、または、可搬型媒体から一旦補助記憶装置にコピーもしくはインストール後に主記憶装置にロードされ実行される。また、ネットワーク接続された他の装置に格納されて提供された場合も、他の装置からネットワークを経由して受信後に補助記憶装置にコピーもしくはインストールされ、主記憶装置にロードされ実行されるものである。
【００６４】
（変形例３）上記実施の形態の資料作成システム１１は、図８に示す態様としてもよい。この図８に示す資料作成システム１１１は、概ね図１に示す態様と同じであるが、管理コンピュータ１３を無線通信網６１を介して読取機器６２と接続するようにした点が異なっている。即ち、この態様は、読取機器６２にて読み取った商品コードを無線通信網６１を介して同商品コードの読み取り毎（つまりはリアルタイムに）又は定期的に管理コンピュータ１３に送信するようにしたものである。なお、この場合の読取機器６２としては例えば携帯電話機等を利用することができる。このような態様としても、上記実施の形態と同様な効果を奏することができる。
【００６５】
（変形例４）上記実施の形態では、商品コードとして一次元コードであるバーコードを利用したが、これに限らず、例えば二次元コード（ＱＲコード（登録商標）など）を商品コードとして利用してもよい。また、そのほか商品コードとしては、半導体チップに記録されたＩＤ（識別情報）を利用し、このＩＤを無線電波を通じて読取機器により読み出すといった方法でもよい。
【００６６】
（変形例５）上記実施の形態では、オンデマンド資料として、商品カタログ、見積書、シミュレーション図等を作成する態様としたが、これらに限られず、その他の資料を作成する態様であってもよい。即ち、本発明の技術的思想とするところは、ユーザの希望する商品のみを集めて何らかの資料を作成（印刷）するところに最大の特徴を有するものであり、どのような資料を作成するかはその他任意の形態を採用することができる。
【００６７】
（変形例６）上記実施の形態において作成する商品カタログには、商品名、商品価格、商品説明、商品画像に限らず、その他の情報を印刷するようにしてもよい。もちろん、これら４つの項目が必ずしも印刷されることが必須でもない。
【００６８】
（変形例７）上記実施の形態において作成するシミュレーション図としては、同実施例で説明したもののほか、例えば次のような態様を採用することができる。例えば、ハウスメーカーが主催するモデルルームにおいて、ユーザが希望する商品（壁紙、外壁、窓など）の商品コードを読取機器１６にて読み取り、それらの商品画像に基づいて住宅設計イメージをシミュレーションするといった態様や、あるいは、カーショップにおいて、ユーザが希望する商品（カーパーツ）の商品コードを読取機器１６にて読み取り、それらの商品画像に基づいてチューンアップした車をシミュレーションするといった態様を採用することができる。
【００６９】
（変形例８）上記実施の形態においては、ユーザが店舗端末１２を操作してオンデマンド資料を作成する態様（セルフプリント）としたが、もちろん店舗の店員が店舗端末１２を操作して資料を作成し、ユーザに手渡す態様としてもよい。
【００７０】
（変形例９）本発明にかかるオンデマンド資料作成システム１１は、上記実施の形態で述べたような、商品を販売する店舗に対して適用する態様に必ずしも限定されるものではなく、例えば、博物館や美術館、そのほか、見本市（ショールーム）など、ユーザの目的に応じた資料を作成する場面においては広く適用可能である。
【図面の簡単な説明】
【００７１】
【図１】一実施の形態のオンデマンド資料作成システムを示す概略構成図。
【図２】店舗端末の概略ハードウェア構成を示すブロック図。
【図３】管理コンピュータの概略ハードウェア構成を示すブロック図。
【図４】オンデマンド資料作成システムの処理を示すフローチャート。
【図５】商品取り込み画面の表示例を示す模式図。
【図６】リザーブ登録画面の表示例を示す模式図。
【図７】資料作成画面の表示例を示す模式図。
【図８】オンデマンド資料作成システムの別のシステム態様を示す概略構成図。
【符号の説明】
【００７２】
１１，１１１：オンデマンド資料作成システム、１２：店舗端末、１３：管理コンピュータ、１４：ネットワーク、１５：プリンタ、１６，６２：読取機器、１７：読取情報記憶部、１８：商品情報記憶部、１９：ユーザ情報記憶部、２０：書式データ記憶部、２１：操作部、２２：表示部、２３：入出力Ｉ／Ｆ部、２４：制御部、２５：通信Ｉ／Ｆ部、３１：商品コード取込部、３２：資料作成部、３３：印刷制御部、３４：リザーブ処理部、４１：通信Ｉ／Ｆ部、４２：制御部、５１：読取情報処理部、５２：商品情報検索部、５３：資料化データ作成部、Ｗ１０：商品取り込み画面、Ｗ２０：資料作成画面、Ｗ３０：リザーブ登録画面。
【図１】
2006172187.tif 000003
【図２】
2006172187.tif 000004
【図３】
2006172187.tif 000005
【図４】
2006172187.tif 000006
【図５】
2006172187.tif 000007
【図６】
2006172187.tif 000008
【図７】
2006172187.tif 000009
【図８】
2006172187.tif 000010